(57)【要約】【課題】海水循環ポンプの潤滑水への貝や藻などの異物侵入を予防して、異物による潤滑水系統の閉塞を防止することができる海水循環ポンプの潤滑水切替装置及び潤滑水切替方法を提供する。【解決手段】海水循環ポンプ１０の吐出水の一部を抜き出して該海水循環ポンプ１０の軸封部１２へ潤滑水として供給する海水供給ライン２０と、前記軸封部１２へ潤滑水として雑用水を供給する雑用水供給ライン３０と、前記海水供給ライン２０と前記雑用水供給ライン３０を切り替える切替弁２１，３２と、前記海水循環ポンプ１０の取水口１３への異物の侵入を予知する異物侵入予知機構と、該異物侵入予知機構が異物の侵入を予知したときに前記切替弁２１，３２を海水供給ライン２０から雑用水供給ライン３０に切り替える切替機構１とから構成してある。【選択図】図１
2007309149.tif 000002
【特許請求の範囲】
【請求項１】
海水循環ポンプの吐出水の一部を抜き出して該海水循環ポンプの軸封部へ潤滑水として供給する海水供給ラインと、前記軸封部へ潤滑水として雑用水を供給する雑用水供給ラインと、前記海水供給ラインと前記雑用水供給ラインを切り替える切替弁と、前記海水循環ポンプの取水口への設定量以上の異物の侵入を予知する異物侵入予知機構と、該異物侵入予知機構が設定量以上の異物の侵入を予知したときに前記切替弁を海水供給ラインから雑用水供給ラインに切り替える切替機構とからなる海水循環ポンプの潤滑水切替装置。
【請求項２】
前記異物侵入予知機構が風速計を有し、予め定めた切替風速以上になったときに設定量以上の異物の侵入を予知するようにした請求項１に記載の海水循環ポンプの潤滑水切替装置。
【請求項３】
前記異物侵入予知機構が波高計を有し、予め定めた切替波高以上になったときに設定量以上の異物の侵入を予知するようにした請求項１又は２に記載の海水循環ポンプの潤滑水切替装置。
【請求項４】
海水循環ポンプの吐出水の一部を抜き出して該海水循環ポンプの軸封部へ潤滑水として供給する海水供給ラインと、前記軸封部へ潤滑水として雑用水を供給する雑用水供給ラインを切り替える海水循環ポンプの潤滑水切替方法であって、前記海水循環ポンプの取水口への設定量以上の異物の侵入を予知する異物侵入予知手段と、該異物侵入予知手段が設定量以上の異物の侵入を予知したときに前記潤滑水を海水供給ラインから雑用水供給ラインに切り替える切替手段とからなる海水循環ポンプの潤滑水切替方法。
【請求項５】
前記異物侵入予知手段が風速又は／及び波高を測定し、予め定めた切替風速又は切替波高以上になったときに設定量以上の異物の侵入を予知するようにした請求項４に記載の海水循環ポンプの潤滑水切替方法。
【請求項６】
前記異物侵入予知手段が、貝や藻等の異物が発生しやすい時期に前記切替風速又は切替波高を通常の時期に対して低く設定するようにした請求項５に記載の海水循環ポンプの潤滑水切替方法。
【発明の詳細な説明】
【技術分野】
【０００１】
本発明は、海水循環ポンプの軸封部へ供給する潤滑水を切り替える海水循環ポンプの潤滑水切替装置及び潤滑水切替方法に関する。
【背景技術】
【０００２】
海岸に立地した発電所や工場等のプラントでは、蒸気タービンの復水器を冷却する冷却水として海水を取水して使用している。冷却用海水は、海水循環ポンプにより取水されて復水器へ送水される。この海水循環ポンプには、吐出水の一部を抜き出して海水循環ポンプの軸封部へ潤滑水として供給する海水供給ラインを設けている。
しかし、海水中に浮遊している貝や藻等の異物が海水と共に海水供給ラインに取り込まれると、配管内面に貝や藻等の異物が付着して潤滑水流量が減少し、海水循環ポンプの軸潤滑が不十分となり、軸受を焼損したり負荷抑制に移行したりする恐れがあった。
【０００３】
従来、海水循環ポンプの海水供給ラインへの貝の付着を防止するために、海水供給ライン中にフィルターを設けた軸潤滑水の貝除去装置は知られている（例えば、特許文献１参照）。また、海水循環ポンプには、軸封部へ潤滑水として雑用水を供給する雑用水供給ラインを設けてあり、海水供給ラインの配管内面に貝や藻等の異物が付着して潤滑水流量が減少したときに、流量スイッチによって海水供給ラインから雑用水供給ラインに切り替えて使用していた。
【０００４】
【特許文献１】特開平９−９４４１４号公報
【発明の開示】
【発明が解決しようとする課題】
【０００５】
従来の海水循環ポンプは、流量スイッチによって海水供給ラインから雑用水供給ラインに切り替えることにより潤滑水流量を確保することはできるが、海水供給ラインの配管内面や弁に付着した貝や藻などの異物を取り除くのに手間がかかるという課題があった。
また、強風により海が荒れているときには、貝や藻などの異物が多量に流れてくるために、フィルターや配管が異物で詰まり易いという問題があった。
【０００６】
そこで、本発明は、海水循環ポンプの潤滑水への貝や藻などの異物侵入を予防して、異物による潤滑水系統の閉塞を防止することができる海水循環ポンプの潤滑水切替装置及び潤滑水切替方法を提供するものである。
【課題を解決するための手段】
【０００７】
本発明は、上記課題を解決するために、海水循環ポンプの吐出水の一部を抜き出して該海水循環ポンプの軸封部へ潤滑水として供給する海水供給ラインと、前記軸封部へ潤滑水として雑用水を供給する雑用水供給ラインと、前記海水供給ラインと前記雑用水供給ラインを切り替える切替弁と、前記海水循環ポンプの取水口への設定量以上の異物の侵入を予知する異物侵入予知機構と、該異物侵入予知機構が設定量以上の異物の侵入を予知したときに前記切替弁を海水供給ラインから雑用水供給ラインに切り替える切替機構とからなる海水循環ポンプの潤滑水切替装置を提供するものである。
【０００８】
また、本発明は、前記異物侵入予知機構が風速計を有し、予め定めた切替風速以上になったときに設定量以上の異物の侵入を予知するようにした請求項１に記載の海水循環ポンプの潤滑水切替装置を提供するものである。
【０００９】
また、本発明は、前記異物侵入予知機構が波高計を有し、予め定めた切替波高以上になったときに設定量以上の異物の侵入を予知するようにした請求項１又は２に記載の海水循環ポンプの潤滑水切替装置を提供するものである。
【００１０】
また、本発明は、海水循環ポンプの吐出水の一部を抜き出して該海水循環ポンプの軸封部へ潤滑水として供給する海水供給ラインと、前記軸封部へ潤滑水として雑用水を供給する雑用水供給ラインを切り替える海水循環ポンプの潤滑水切替方法であって、前記海水循環ポンプの取水口への設定量以上の異物の侵入を予知する異物侵入予知手段と、該異物侵入予知手段が設定量以上の異物の侵入を予知したときに前記潤滑水を海水供給ラインから雑用水供給ラインに切り替える切替手段とからなる海水循環ポンプの潤滑水切替方法を提供するものである。
【００１１】
また、本発明は、前記異物侵入予知手段が風速又は／及び波高を測定し、予め定めた切替風速又は切替波高以上になったときに設定量以上の異物の侵入を予知するようにした請求項４に記載の海水循環ポンプの潤滑水切替方法を提供するものである。
【００１２】
また、本発明は、前記異物侵入予知手段が、貝や藻等の異物が発生しやすい時期に前記切替風速又は切替波高を通常の時期に対して低く設定するようにした請求項５に記載の海水循環ポンプの潤滑水切替方法を提供するものである。
【発明の効果】
【００１３】
本発明に係る海水循環ポンプの潤滑水切替装置によれば、海水循環ポンプの吐出水の一部を抜き出して該海水循環ポンプの軸封部へ潤滑水として供給する海水供給ラインと、前記軸封部へ潤滑水として雑用水を供給する雑用水供給ラインと、前記海水供給ラインと前記雑用水供給ラインを切り替える切替弁と、前記海水循環ポンプの取水口への設定量以上の異物の侵入を予知する異物侵入予知機構と、該異物侵入予知機構が設定量以上の異物の侵入を予知したときに前記切替弁を海水供給ラインから雑用水供給ラインに切り替える切替機構とからなる構成を有することにより、海水中に浮遊している貝や藻等の異物が海水循環ポンプの取水口へ設定量以上侵入することを予知して、設定量以上の異物が海水供給ラインに取り込まれる前に潤滑水系統を海水供給ラインから雑用水供給ラインに切り替えることができ、異物による潤滑水系統の閉塞を防止することができる。従って、潤滑水系統の洗浄に要する工数を低減することができるのみならず、海水循環ポンプの軸受の焼損やプラントの負荷抑制への移行を阻止することができる効果がある。
【００１４】
また、本発明は、前記異物侵入予知機構が風速計を有し、予め定めた切替風速以上になったときに設定量以上の異物の侵入を予知するようにした請求項１に記載の構成を有することにより、強風で海が荒れて貝や藻などの異物が多量に流されてきて海水循環ポンプの取水口へ設定量以上の異物が侵入することを、風速計で風速を測定することによって簡単且つ確実に予知することができる効果がある。
【００１５】
また、本発明は、前記異物侵入予知機構が波高計を有し、予め定めた切替波高以上になったときに設定量以上の異物の侵入を予知するようにした請求項１又は２に記載の構成を有することにより、海が荒れて貝や藻などの異物が多量に流されてきて海水循環ポンプの取水口へ設定量以上の異物が侵入することを、波高計で波高を測定することによって簡単且つ確実に予知することができる効果がある。
【００１６】
また、本発明に係る海水循環ポンプの潤滑水切替方法によれば、海水循環ポンプの吐出水の一部を抜き出して該海水循環ポンプの軸封部へ潤滑水として供給する海水供給ラインと、前記軸封部へ潤滑水として雑用水を供給する雑用水供給ラインを切り替える海水循環ポンプの潤滑水切替方法であって、前記海水循環ポンプの取水口への設定量以上の異物の侵入を予知する異物侵入予知手段と、該異物侵入予知手段が設定量以上の異物の侵入を予知したときに前記潤滑水を海水供給ラインから雑用水供給ラインに切り替える切替手段とからなる構成を有することにより、海水中に浮遊している貝や藻等の異物が海水循環ポンプの取水口へ設定量以上侵入することを予知して、設定量以上の異物が海水供給ラインに取り込まれる前に潤滑水系統を海水供給ラインから雑用水供給ラインに切り替えることができ、異物による潤滑水系統の閉塞を防止することができる。従って、潤滑水系統の洗浄に要する工数を低減することができるのみならず、海水循環ポンプの軸受の焼損やプラントの負荷抑制への移行を阻止することができる効果がある。
【００１７】
また、本発明は、前記異物侵入予知手段が風速又は／及び波高を測定し、予め定めた切替風速又は切替波高以上になったときに設定量以上の異物の侵入を予知するようにした請求項４に記載の構成を有することにより、強風で海が荒れて貝や藻などの異物が多量に流されてきて海水循環ポンプの取水口へ設定量以上の異物が侵入することを、風速又は／及び波高を測定することによって簡単且つ確実に予知することができる効果がある。
【００１８】
また、本発明は、前記異物侵入予知手段が、貝や藻等の異物が発生しやすい時期に前記切替風速又は切替波高を通常の時期に対して低く設定するようにした請求項５に記載の構成を有することにより、貝や藻等の異物が発生しやすい時期には海水循環ポンプの取水口へ異物が侵入しやすいから、切替風速又は切替波高を通常の時期に対して低く設定して、設定量以上の異物の侵入を確実に防止することができる効果がある。
【発明を実施するための最良の形態】
【００１９】
本発明の実施の形態を図示する実施例に基づいて説明する。
本発明に係る海水循環ポンプの潤滑水切替装置は、海水循環ポンプ１０の吐出水の一部を抜き出して該海水循環ポンプ１０の軸封部１２へ潤滑水として供給する海水供給ライン２０と、前記軸封部１２へ潤滑水として雑用水を供給する雑用水供給ライン３０と、前記海水供給ライン２０と前記雑用水供給ライン３０を切り替える切替弁２１，３２と、前記海水循環ポンプ１０の取水口１３への異物の侵入を予知する異物侵入予知機構と、該異物侵入予知機構が異物の侵入を予知したときに前記切替弁２１，３２を海水供給ライン２０から雑用水供給ライン３０に切り替える切替機構１とから構成してある。
【実施例１】
【００２０】
図１及び図２は、本発明に係る海水循環ポンプの潤滑水切替装置の一実施例を示す構成図であり、図１は潤滑水として海水を供給している状態を示し、図２は潤滑水として雑用水を供給している状態を示している。
図１及び図２に示すように、海水循環ポンプ１０は、ポンプを駆動するモーター１１と、ポンプの軸封部１２と、海水の取水口１３及び吐出口１４とからなり、取水口１３から海水を取水して配管１５を通って蒸気タービンの復水器に送水するようにしてある。
【００２１】
図１に示すように、海水供給ライン２０は、配管１５から海水循環ポンプ１０の吐出水の一部を抜き出して、海水循環ポンプ１０の軸封部１２へ潤滑水として海水を供給することができるように構成してある。海水供給ライン２０には、昇圧ポンプ２２及びストレーナ２５を設けてあり、昇圧ポンプ２２で潤滑水を昇圧し、ストレーナ２５で潤滑水中の異物を除去して軸封部１２へ供給するようにしてある。また、昇圧ポンプ２２の前側にもストレーナ２３を設けてあり、比較的大粒の異物を除去するようにしてある。
【００２２】
図１に示すように、昇圧ポンプ２２及びストレーナ２５は夫々並列に２台設けてあり、目詰まりが生じた場合でも切り替えて使用することができるように構成してある。また、ストレーナ２３，２５には差圧計２４，２６を設けてあり、差圧の変化により目詰まりを検出することができるようにしてある。
【００２３】
海水供給ライン２０の出口側には切替弁２１を設けてあり、切替弁２１を開閉操作して、軸封部１２へ潤滑水として海水を給水又は止水することができるように構成してある。
また、昇圧ポンプ２２の前後に圧力計２７，２８を設けると共に、軸封部１２の手前にも圧力計５を設けてあり、軸封部１２に供給する潤滑水の圧力を適正な圧力に調節している。
【００２４】
図２に示すように、雑用水供給ライン３０は、雑用水タンク３１に蓄えられた雑用水を潤滑水として海水循環ポンプ１０の軸封部１２へ供給することができるように構成してある。雑用水供給ライン３０には切替弁３２を設けてあり、切替弁３２を開閉操作して、軸封部１２へ潤滑水として雑用水を給水又は止水することができるようにしてある。
【００２５】
図１及び図２に示す実施例において、異物侵入予知機構は風速計２及び波高計３を有し、予め定めた切替風速又は切替波高以上になったときに設定量以上の異物の侵入を予知することができるように構成してある。海水中に浮遊している貝や藻等の異物の量は、図３に示すように、強風により海が荒れると急激に増えるから、急激に増え始めるところを設定量にすることが好ましい。図示の実施例では、切替風速を風速１５ｍ／ｓと定めてある。また、海水中に浮遊している貝や藻等の異物の量は季節によっても変化するから、異物侵入予知手段は、貝や藻等の異物が発生しやすい時期に切替風速又は切替波高を通常の時期に対して低く設定してあることが好ましい。
【００２６】
切替機構１は、風速計２及び波高計３で測定した風速又は波高が切替風速又は切替波高以上になったときに、海水供給ライン２０から雑用水供給ライン３０に切り替えることができるように構成してある。切替機構１は、図１に示すように海水供給ライン２０側の切替弁２１が開、雑用水供給ライン３０側の切替弁３２が閉の状態において、雑用水供給ライン３０側の切替弁３２を開き、流量計４で潤滑水の流量を監視しながら海水供給ライン２０側の切替弁２１を閉じて、図２に示すように雑用水供給ライン３０に切り替える。また、切替機構１は、雑用水供給ライン３０に切り替えた後、昇圧ポンプ２２を速やかに停止するようにしてある。
【００２７】
また、切替機構１は、風速計２及び波高計３で測定した風速及び波高が切替風速及び切替波高未満になったときに、雑用水供給ライン３０から海水供給ライン２０に切り替えることができるように構成してある。切替機構１は、図２に示すように雑用水供給ライン３０側の切替弁３２が開、海水供給ライン２０側の切替弁２１が閉の状態において、昇圧ポンプ２２を起動して海水供給ライン２０側の切替弁２１を開き、流量計４で潤滑水の流量を監視しながら雑用水供給ライン３０側の切替弁３２を閉じて、図１に示すように海水供給ライン２０に切り替える。
【００２８】
なお、異物侵入予知手段は、風速計２又は波高計３の何れか一つを使用することも可能である。また、プラントの設置された場所の地形、風向きなどによって、設定量以上の異物の侵入になる風速が異なることから、切替風速は、プラントの設置された場所や風向きに応じて、図３に示すグラフに基づいて予め設定することができる。
【図面の簡単な説明】
【００２９】
【図１】本発明に係る海水循環ポンプの潤滑水切替装置の一実施例を示す構成図。
【図２】その一実施例の動作を示す構成図。
【図３】本発明の一実施例を示すグラフ。
【符号の説明】
【００３０】
１  切替機構
２  風速計
３  波高計
４  流量計
５  圧力計
１０  海水循環ポンプ
１１  モーター
１２  軸封部
１３  取水口
１４  吐出口
１５  配管
２０  海水供給ライン
２１  切替弁
２２  昇圧ポンプ
２３，２５  ストレーナ
２４，２６  差圧計
２７，２８  圧力計
３０  雑用水供給ライン
３１  雑用水タンク
３２  切替弁
【図１】
2007309149.tif 000003
【図２】
2007309149.tif 000004
【図３】
2007309149.tif 000005